(57)【要約】【課題】インターネット網につながず、加盟登録料がかからない情報提供システムを提供する。【解決手段】第１の通信カバーエリア１Ａ内に配置され、第１の情報を送信する第１の情報提供装置２Ａと、第２の通信カバーエリア１Ｂ内に配置され、第２の情報を送信する第２の情報提供装置２Ｂと、第１及び第２の通信カバーエリア１Ａ，１Ｂ内を移動可能であり、第１及び第２の情報提供装置２Ａ、２Ｂから送信された第１及び第２の情報を受信して記憶・表示する情報受信端末３を有し、情報受信端末３が第１の通信カバーエリア１Ａ内に存在するときには、情報受信端末３は第１の情報を受信して記憶・表示しておき、情報受信端末３が第１の通信カバーエリア１Ａから第２の通信カバーエリア１Ｂに移動した場合には、情報受信端末３は第２の情報を受信して記憶・表示する情報提供システム１０。【選択図】  図１
2010044670.tif 000002
【特許請求の範囲】
【請求項１】
第１の通信カバーエリア内に配置され、第１の情報を送信する第１の情報提供装置と、
第２の通信カバーエリア内に配置され、第２の情報を送信する第２の情報提供装置と、
第１及び第２の通信カバーエリア内を移動可能であり、第１及び第２の情報提供装置から送信された第１及び第２の情報を受信して記憶・表示する情報受信端末を有し、
情報受信端末が第１の通信カバーエリア内に存在するときには、情報受信端末は第１の情報を受信して記憶・表示しておき、情報受信端末が第１の通信カバーエリアから第２の通信カバーエリアに移動した場合には、情報受信端末は第２の情報を受信して記憶・表示することを特徴とする情報提供システム。
【請求項２】
前記第１及び第２の情報提供装置からは、前記第１及び第２の情報として無線電波がそれぞれ発信され、この無線電波は前記情報受信端末により受信されることを特徴とする請求項１に記載の情報提供システム。
【請求項３】
前記情報受信端末は、前記第１及び第２の情報を記憶する記憶部と、この記憶した第１及び第２の情報を表示する表示部と、全体を制御する制御部とを有することを特徴とする請求項１または２に記載の情報提供システム。
【請求項４】
前記制御部は、前記情報受信端末が前記第１の通信カバーエリアから前記第２の通信カバーエリアに移動したと判断した場合に、前記表示部に表示されていた第１の情報を第２の情報に切り替えて表示することを特徴とする請求項３に記載の情報提供システム。
【請求項５】
前記第１の情報から前記第２の情報への切り替えは、前記第２の通信カバーエリア内で受信した第２の情報が前記記憶部に記憶された時点で行われることを特徴とする請求項４に記載の情報提供システム。
【請求項６】
前記第１及び第２の情報提供装置は、それぞれＧＰＳ受信機を有しており、このＧＰＳにより同期がとれていることを特徴とする請求項１から５のいずれか１項に記載の情報提供システム。
【請求項７】
前記第１及び第２の情報提供装置はそれぞれ店舗に配置されており、前記第１及び第２の情報は、上記店舗でそれぞれ作成された店舗情報であることを特徴とする請求項１から６のいずれか１項に記載の情報提供システム。
【請求項８】
前記第１及び第２の情報提供装置は、前記作成された店舗情報が保存されたときに、前記第１及び第２の情報をそれぞれ送信することを特徴とする請求項７に記載の情報提供システム。
【請求項９】
前記第１及び第２の情報には席の空き情報が含まれており、前記第１及び第２の情報提供装置はそれぞれ最新の空き情報を送信することを特徴とする請求項８に記載の情報提供システム。
【請求項１０】
前記情報受信端末には受信キーが設けられており、この受信キーを押下することにより受信が開始されることを特徴とする請求項１に記載の情報提供システム。
【請求項１１】
前記情報受信端末は、地図データを保存すると共にＧＰＳ受信機を有し、
この地図上に前記店舗の位置を表示させることを特徴とする請求項７に記載の情報提供システム。
【請求項１２】
前記前記第１及び第２の情報提供装置は、無線ＬＡＮ端末であり、
前記情報受信端末は、無線ＬＡＮと接続可能なＩＰ電話機であることを特徴とする請求項１に記載の情報提供システム。
【発明の詳細な説明】
【技術分野】
【０００１】
本発明は、情報提供システムに関し、特に、店舗などに設置した情報提供装置から発信される微弱な無線電波により、インターネット網につなぐことなく、半径数１００ｍの範囲に地域情報を提供する情報提供システムに関しする。
【背景技術】
【０００２】
従来、飲食店の検索サービスとして「ぐるなび（登録商標）」などがあるが、飲食店が支払う月額１万円からの加盟登録料により、０円検索サービスが成り立っている。集客力のある大型チェーン店などは登録されているが、商店街の小さな食堂などでは、加盟登録料が負担となり、登録するに至っていないという実情がある。
【０００３】
インターネットによる広域の情報検索は非常に有用である。しかし、キーワードによる近隣の情報を検索するためには辿り着くまでにかなりの時間を要し、現時点の情報を入手することができない。
【０００４】
これに関連する技術として、特開２００７−１６３６２１号公報（特許文献１）あるいは特開２００２−２４７０４５号公報（特許文献２）等がある。
【０００５】
【特許文献１】特開２００７−１６３６２１号公報
【特許文献２】特開２００２−２４７０４５号公報
【発明の開示】
【発明が解決しようとする課題】
【０００６】
そこで、本発明は、上記従来技術の問題点に鑑みて成されたものであり、その目的は、インターネット網につながず、加盟登録料がかからない情報提供システムを提供する。
【課題を解決するための手段】
【０００７】
上記目的を達成するために、本発明に係る情報提供システムは、
第１の通信カバーエリア内に配置され、第１の情報を送信する第１の情報提供装置と、
第２の通信カバーエリア内に配置され、第２の情報を送信する第２の情報提供装置と、
第１及び第２の通信カバーエリア内を移動可能であり、第１及び第２の情報提供装置から送信された第１及び第２の情報を受信して記憶・表示する情報受信端末を有し、
情報受信端末が第１の通信カバーエリア内に存在するときには、情報受信端末は第１の情報を受信して記憶・表示しておき、情報受信端末が第１の通信カバーエリアから第２の通信カバーエリアに移動した場合には、情報受信端末は第２の情報を受信して記憶・表示することを特徴とする。
【発明の効果】
【０００８】
本発明によれば、インターネット網につながず、加盟登録料がかからない情報提供システムを提供することができる。例えば、情報提供装置を設置した店舗は、検索サービス会社に加盟登録料を支払うことなく、タイムリーな情報を自由に発信することができる。
【発明を実施するための最良の形態】
【０００９】
次に、本発明の実施の形態について図面を参照して説明する。
【００１０】
図１は、本発明の実施の形態に係わる情報提供システムの構成を示す図である。図１に示すように、情報提供システム１０は、通信カバーエリア１Ａ〜１Ｃを有する。通信カバーエリア１Ａ内には情報提供装置２Ａが設けられ、通信カバーエリア１Ｂ内には情報提供装置２Ｂが設けられ、通信カバーエリア１Ｃ内には情報提供装置２Ｃが設けられている。このような構成の下、情報受信端末３が通信カバーエリア１Ａ〜１Ｃ内を移動可能に設けられている。
【００１１】
各情報提供装置２Ａ〜２Ｃからは微弱な無線電波が放射されており、通信カバーエリア１Ａ〜１Ｃは数百ｍ程度である。情報提供装置２Ａ〜２Ｃからそれぞれ発信される微弱な無線電波は、通信カバーエリア１Ａ〜１Ｃ内に存在する情報受信端末３により受信される。情報受信端末３で受信された情報は復調され、受信情報端末３の表示部に表示される。
【００１２】
ここで、図２に情報受信端末３の機能ブロック図を示す。
【００１３】
情報受信端末３は、情報提供装置２Ａ〜２Ｃからの無線を受信する無線部２１と、無線２１にて受信した情報を記憶する記憶部２２と、記憶した情報を表示する表示部２３と、情報の選択入力を行うための入力部２４と、情報を処理し全体を制御するＣＰＵ２５ａを含む制御部２５とを有する。さらに、情報受信端末３は、図示されていない電源部を有する。また、情報提供装置２Ａ〜２Ｃからの無線を受信した場合に鳴動する発音体等の出力部（図示せず）を設けても良い。
【００１４】
情報提供装置２Ａ〜２Ｃは各店舗に設置されており、この情報提供装置２Ａ〜２Ｃを介して店舗で作成された情報が送信され、情報受信端末３によりその情報が受信されるようになっている。
【００１５】
尚、情報提供装置２Ａ〜２Ｃは送信機能のみであり受信機能を有していない。また、情報受信端末３は受信機能のみで送信機能を有していない。また、図示していないが、情報提供装置２Ａ〜２ＣはＧＰＳ受信機を有しており、ＧＰＳにより同期がとれている。
【００１６】
次に、本発明の実施の形態の動作について説明する。
【００１７】
図３は、情報提供装置２Ａ〜２Ｃに含まれるＰＣの情報提供装置入力画面３１を表している。ジャンル３２は、予め設定されている料理のジャンルを選択するものであり、「和食、洋食、中華、焼肉、和風居酒屋、洋風居酒屋、ビアレストラン、パブ・スナック」から一つを選択する。また、店名３３には店名を入力する。
【００１８】
端末表示画面３４は実際に情報受信端末３に表示される画面であり、ＰＣに記憶されている複数のテンプレートから選択することができる。本実施の形態では、左側に画像３６及び画像１３があり、右側に文章３５が配置されている。
【００１９】
例えば、画像３６に店内の写真を貼り付け、画像３７におすすめ料理の写真を貼り付ける。また、文章３５には自由に様々な情報を入力することができる。また、作成した端末表示画面３４を保存すると、情報提供装置２Ａ〜２Ｃから送信される。この際、内容を編集する場合には、編集中は保存されている情報が送信され続け、編集内容を保存した時点で新しい情報に切り替わるようになっている。従って、文章３５に席の空き情報を入れることにより、常に最新の空き情報を提供することができる。
【００２０】
図４は、情報受信端末３の表示画面の一例である。
【００２１】
例えば、画面には「和食、洋食、中華、焼肉、和風居酒屋、洋風居酒屋、ビアレストラン、パブ・スナック」のジャンル４１Ａ〜４１Ｈが表示されている。このような構成の下、例えば上下左右のボタンにより構成される選択キー４２を操作して和食を選択し、決定キー４３を押下することにより、情報受信端末３で受信し保存されている店名が表示される。そして、複数表示されている店名の一つを選択することにより、情報提供装置２Ａ〜２Ｃの入力画面３１（図３参照）において入力されたその店の情報が表示される。具体的には、図３に示された端末表示画面３４中の画像３６、画像３７及び文章３５が表示される。
【００２２】
尚、情報受信端末３が他の通信カバーエリア１Ａ〜１Ｃに移動した場合は、受信キー４４を押下することにより新たに受信が開始される。この結果、情報受信端末３の画面には、図５に示すように、データの受信時刻５１、例として、ジャンル４１Ｆ（洋風居酒屋）と２つの店名５２Ａ（１）、５２ｂ（２）が表示される。従って、繁華街の複数の店舗が入っているビルの下で情報受信端末３により受信キー４４を押下することにより、そのビルの店舗情報を確認することができる。そして、各店舗の席の空き情報、店の雰囲気、料理のメニューなどをエレベータで昇ることなく確認することができる。
【００２３】
ここで、図６に、情報受信端末３が通信カバーエリア１Ａから通信カバーエリア１Ｃへ移動した移動図を示す。
【００２４】
図６において、実線Ｘは情報受信端末３の移動経路を示す。ここで、例えば、通信カバーエリア１Ａ内に配置されている情報提供装置２Ａは和食の店舗に設けられており、通信カバーエリア１Ｂ内に配置されている情報提供装置２Ｂは洋食の店舗に設けられており、通信カバーエリア１Ｃ内に配置されている情報提供装置２Ｃは中華の店舗に設けられている。
【００２５】
このようにして、情報受信端末３が移動経路Ｘに沿って移動した場合に、情報受信端末３の記憶部２２（図２参照）に記憶される情報のファイル構造の一例を図７に示す。
【００２６】
情報ファイルは、例えば、情報提供装置２Ａ〜２Ｃに設定されているエリア識別コード７１にて受信したジャンル７２、店名７３、画像データ７４、受信時刻７５及びＧＰＳによる情報提供端末２Ａ〜２Ｃの位置情報７６とから成る。
【００２７】
まず、図６に示すように、情報受信端末３が通信カバーエリア１Ａの圏内に移動すると、和食店の情報提供装置２Ａから情報を受信し、情報受信端末３の記憶部２２（図２参照）に受信した情報を記憶する。そして、受信した和食店の情報は、表示部２３（図２参照）に表示される。
【００２８】
次に、情報受信端末３が通信カバーエリア１Ｂの圏内に移動すると、洋食店の情報提供装置２Ｂから情報を受信し、情報受信端末３の記憶部２２（図２参照）に受信した情報を記憶する。そして、受信した洋食店の情報は、表示部２３（図２参照）に表示される。
【００２９】
最後に、情報受信端末３が通信カバーエリア１Ｃの圏内に移動すると、中華店の情報提供装置２Ｂから情報を受信し、情報受信端末３の記憶部２２（図２参照）に受信した情報を記憶する。そして、受信した中華店の情報は、表示部２３（図２参照）に表示される。
【００３０】
ここで、例えば、通信カバーエリア１Ａ〜１Ｃにより受信した情報が記憶部２２（図２参照）に記憶された時点で、情報受信端末３の画面中の和食、洋食、中華のジャンル部分の表示を切り替えて表示部２３（図２参照）に表示する。この際、複数の店舗情報を入手し、図５に示す情報を表示するようにしても良い。
【００３１】
以上説明したように、本発明の実施の形態によれば、情報提供装置２Ａ〜２Ｃを設置した店舗は、検索サービス会社に加盟登録料を支払うことなく、タイムリーな情報を自由に発信することが出来る。
【００３２】
また、半径数百メートル内が情報配信の対象であるため、すぐに集客に結びつく可能性が高い。
【００３３】
また、鮮魚等のその日に使いたい食材を使用した料理をタイムセールとして安価に提供する情報を配信することにより、店舗側の食材調整も行うことができる。
【００３４】
また、情報受信端末３は、送信機能は持たずに受信機能のみであるため、端末のコストが抑えられ、消費電力も小さくなることから、端末の小型化も可能となる。
【００３５】
また、情報受信端末３により、会社の昼休みに外へ食事をしに行く場合、店の臨時休業の情報なども得ることができるため、店まで歩いていって閉まっているといったことがなくなり非常に便利である。
【００３６】
次に、本発明の他の実施の形態について説明する。
【００３７】
本発明の他の実施の形態では、情報受信端末３に地図データを保存し、ＧＰＳ受信機を搭載することにより、地図上に店舗の位置を表示させる。これにより、情報受信端末３の使い勝手が向上する。
【００３８】
また、飲食店のみでなく、商店街の様々な店舗での使用、さらに自治体の祭り、バザーなどの催し物の情報を地域住民に配信することも可能である。
【００３９】
また、上記実施の形態では、情報提供装置２Ａ〜２Ｃを微弱の無線電波を利用した構成としているが、無線ＬＡＮの端末としても良い。また、情報受信端末３を無線ＬＡＮと接続できるＩＰ電話機としても良い。無線ＬＡＮであればＡＰに各店舗情報を対応させてＩＰ電話機へ情報を送ることも可能である。
【００４０】
以上、本発明者によってなされた発明を実施例に基づき具体的に説明したが、本発明は上記実施例に限定されるものではなく、その要旨を逸脱しない範囲で種々変更可能であることは言うまでもない。
【図面の簡単な説明】
【００４１】
【図１】本発明の実施の形態に係わる情報提供システムの構成を示す図である。
【図２】情報受信端末の機能ブロック図である。
【図３】情報提供装置に含まれるＰＣの情報提供装置入力画面を表した図である。
【図４】情報受信端末の表示画面の一例である。
【図５】情報受信端末の他の表示画面の一例である。
【図６】情報受信端末の移動経路を示す図である。
【図７】情報受信端末に記憶される情報のファイル構造に一例を示す図である。
【符号の説明】
【００４２】
１Ａ  通信カバーエリア
１Ｂ  通信カバーエリア
１Ｃ  通信カバーエリア
２Ａ  情報提供装置
２Ｂ  情報提供装置
２Ｃ  情報提供装置
３  情報受信端末
１０  情報提供システム
２１  無線部
２２  記憶部
２３  表示部
２４  入力部
２５  制御部
【図１】
2010044670.tif 000003
【図２】
2010044670.tif 000004
【図３】
2010044670.tif 000005
【図４】
2010044670.tif 000006
【図５】
2010044670.tif 000007
【図６】
2010044670.tif 000008
【図７】
2010044670.tif 000009